(57)【要約】【課題】特典情報を使用期限内に使わせ易くする。【解決手段】受信機１は、放送局２からのデジタル放送信号に基づいてＱＲコード１１３を含むＬ字メッセージを作成し、テレビ映像１０１と作成したＬ字メッセージを表示する。携帯端末３は、受信機１の表示部に表示されたＱＲコード１１３を撮影し、撮影したＱＲコード１１３に含まれるＵＲＬを添付してサービスサーバ４にアクセスする。サービスサーバ４は、ＵＲＬに基づいて、接続を広告主サーバ５に転送する。携帯端末３は、広告主サーバ５からクーポン等の特典情報を取得し、クーポンの期日情報をカレンダーに登録して、参照可能とする。【選択図】図１
2019201366.tif 000002
【特許請求の範囲】
【請求項１】
広告プログラムと前記広告プログラムが広告する事項に関する特典情報にアクセスするためのアクセス情報を含むメッセージとを放送する放送手段と、
前記放送手段により放送された広告プログラムとメッセージとを受信し、受信した広告プログラムと前記アクセス情報を含むメッセージとを表示する表示手段と、
前記表示手段に表示されたアクセス情報を取得し、取得したアクセス情報を用いて、特典情報にアクセスし、特典情報を取得して記憶すると共に特典情報の期間情報を報知する端末手段と、
を備える
情報処理システム。
【請求項２】
前記端末手段からのアクセスを受け付けて、アクセスの履歴情報を生成する手段と、アクセス情報により特定される特典情報を含む情報源にアクセス先を切り換える転送手段と、を備える第１のサーバ装置と、
特典情報を提供する第２のサーバ装置と、
をさらに備える、
請求項１に記載の情報処理システム。
【請求項３】
前記第１のサーバ装置は、前記端末手段に、前記アクセス情報を処理し、特典情報にアクセスする処理を実行させるためのコンピュータプログラムを、個人情報の提供を条件として、提供するプログラム提供手段を備え、提供された個人情報とアクセスの履歴情報とを解析し、
前記端末手段は、前記第１のサーバ装置からダウンロードしたプログラムを実行することにより、前記アクセス情報を取得し、取得したアクセス情報を用いて、前記第１のサーバ装置にアクセスし、前記第２のサーバ装置から特典情報を取得する、
請求項２に記載の情報処理システム。
【請求項４】
前記メッセージの放送予定を配信する手段をさらに備え、
前記端末手段は、配信された放送予定を取得し、カレンダーに登録する、
請求項１、２又は３に記載の情報処理システム。
【請求項５】
番組プログラムと、広告プログラムと、該広告プログラムに関連する特典情報にアクセスするための暗号化されたアクセス情報を含む地域別メッセージと、を放送する放送装置。
【請求項６】
番組プログラムと、広告プログラムと、該広告プログラムに関連する特典情報にアクセスするための暗号化されたアクセス情報を含む地域別メッセージと、を受信する受信手段と、
番組プログラムを表示し、さらに、受信した地域別メッセージのうち、自己の位置する地域用の地域別メッセージを前記広告プログラムと共に表示する、表示手段と、
を備える受信装置。
【請求項７】
画面に広告プログラムと共に表示されているメッセージに含まれているアクセス情報を撮影する撮像部と、
撮影したアクセス情報から取得した情報を用いて情報源にアクセスし、情報源から前記広告プログラムが広告している事項用の特典情報を取得する特定情報取得手段と、
取得した特典情報に関する情報をカレンダーに登録し、参照可能とするカレンダ手段と、
を含む端末装置。
【請求項８】
前記カレンダ手段は、前記カレンダーに登録された特典情報について、その特典情報が使用可能となる前、使用可能な期間、使用できなくなる前の少なくともいずれかに、その特典情報の存在をユーザに報知する報知手段を備える、
請求項７に記載の端末装置。
【請求項９】
前記メッセージの放送予定情報を取得する手段をさらに備え、
前記カレンダ手段は、放送予定情報をカレンダーに登録する、
請求項７又は８に記載の端末装置。
【請求項１０】
個人情報の提供を条件に、プログラムを配信する配信手段と、
配信されたプログラムがインストールされた端末装置からの、特典情報を特定するアクセス情報を含むアクセス要求を受信する手段と、
受信したアクセス要求に含まれるアクセス情報を取得し、アクセス情報で特定される特定情報を提供する情報源に接続を転送する転送手段と、
を備えるサーバ装置。
【請求項１１】
広告プログラムと前記広告プログラムが広告する事項に関する特典情報にアクセスするためのアクセス情報を含むメッセージとを放送し、
放送された広告プログラムとメッセージとを受信し、受信した広告プログラムと前記アクセス情報を含むメッセージとを表示し、
表示されたアクセス情報を取得し、取得したアクセス情報を用いて、特典情報にアクセスして、特典情報を取得し、特典情報の期間情報を報知する、
方法。
【請求項１２】
コンピュータを、
請求項１から１０のいずれか１項に記載の装置又はシステムとして動作させ、又は、請求項１１に記載の方法を実行させるコンピュータプログラム。
【発明の詳細な説明】
【技術分野】
【０００１】
本発明は、情報処理システム、放送装置、受信装置、端末装置、サーバ装置、方法、及びコンピュータプログラムに関する。
【背景技術】
【０００２】
テレビＣＭ（Ｃｏｍｍｅｒｃｉａｌ  Ｍｅｓｓａｇｅ)にＱＲコード（登録商標）を付加することにより、テレビ視聴者の利便性を向上させる技術が提案されている。例えば、特許文献１には、電子クーポン、ポイントなどの特典情報にアクセスするためのアドレスを含んだＱＲコードを、テレビＣＭと共にテレビ画面上に表示させることにより、視聴者に特典情報を提供することができる技術が開示されている。
【先行技術文献】
【特許文献】
【０００３】
【特許文献１】特開２０１１−１０１３０７号公報
【発明の概要】
【発明が解決しようとする課題】
【０００４】
広告主から提供された特典情報には、使用期限がある場合がある。このような場合、特許文献１においては、特典情報を受け取ったテレビ視聴者が自ら使用期限を覚えているしかない。そのため、テレビ視聴者が、特典情報の使用期限を忘れたり、勘違いして記憶していたりする場合には、特典情報を使用することができないといった課題がある。
【０００５】
本発明はこの課題を解決するものであり、特典情報を使用期限内に使わせ易くすることを目的とする。
【課題を解決するための手段】
【０００６】
上記の目的を達するため、本発明に係る情報処理システムは、
広告プログラムと前記広告プログラムが広告する事項に関する特典情報にアクセスするためのアクセス情報を含むメッセージとを放送する放送手段と、
前記放送手段により放送された広告プログラムとメッセージとを受信し、受信した広告プログラムと前記アクセス情報を含むメッセージとを表示する表示手段と、
前記表示手段に表示されたアクセス情報を取得し、取得したアクセス情報を用いて、特典情報にアクセスし、特典情報を取得して記憶すると共に特典手段の期間情報を報知する端末手段と、
を備える。
【０００７】
前記端末手段からのアクセスを受け付けて、アクセスの履歴情報を生成する手段と、アクセス情報により特定される特典情報を含む情報源にアクセス先を切り換える転送手段と、を備える第１のサーバ装置と、特典情報を提供する第２のサーバ装置と、をさらに備えてもよい。
【０００８】
例えば、前記第１のサーバ装置は、前記端末手段に、前記アクセス情報を処理し、特典情報にアクセスする処理を実行させるためのコンピュータプログラムを、個人情報の提供を条件として、提供するプログラム提供手段を備え、提供された個人情報とアクセスの履歴情報とを解析し、前記端末手段は、前記第１のサーバ装置からダウンロードしたプログラムを実行することにより、前記アクセス情報を取得し、取得したアクセス情報を用いて、前記第１のサーバ装置にアクセスし、前記第２のサーバ装置から特典情報を取得する、ようにしてもよい。
【０００９】
前記メッセージの放送予定を配信する手段をさらに備え、
前記端末手段は、配信された放送予定を取得し、カレンダーに登録する、ようにしてもよい。
【００１０】
また、本発明の放送装置は、番組プログラムと、広告プログラムと、該広告プログラムに関連する特典情報にアクセスするための暗号化されたアクセス情報を含む地域別メッセージと、を放送する。
【００１１】
また、本発明の受信装置は、
番組プログラムと、広告プログラムと、該広告プログラムに関連する特典情報にアクセスするための暗号化されたアクセス情報を含む地域別メッセージと、を受信する受信手段と、
番組プログラムを表示し、さらに、受信した地域別メッセージのうち、自己の位置する地域用の地域別メッセージを前記広告プログラムと共に表示する、表示手段と、
を備える。
【００１２】
本発明の端末装置は、
画面に広告プログラムと共に表示されているメッセージに含まれているアクセス情報を撮影する撮像部と、
撮影したアクセス情報から取得した情報を用いて情報源にアクセスし、情報源から前記広告プログラムが広告している事項用の特典情報を取得する特定情報取得手段と、
取得した特典情報に関する情報をカレンダーに登録し、参照可能とするカレンダ手段と、
を含む。
【００１３】
前記カレンダ手段は、前記カレンダーに登録された特典情報について、その特典情報が使用可能となる前、使用可能な期間、使用できなくなる前の少なくともいずれかに、その特典情報の存在をユーザに報知する報知手段を備えてもよい。
【００１４】
前記メッセージの放送予定情報を取得する手段をさらに備え、
前記カレンダ手段は、放送予定情報をカレンダーに登録してもよい。
【００１５】
本発明のサーバ装置は、
個人情報の提供を条件に、プログラムを配信する配信手段と、
配信されたプログラムがインストールされた端末装置からの、特典情報を特定するアクセス情報を含むアクセス要求を受信する手段と、
受信したアクセス要求に含まれるアクセス情報を取得し、アクセス情報で特定される特定情報を提供する情報源に接続を転送する転送手段と、
を備える。
【００１６】
本発明の方法は、
広告プログラムと前記広告プログラムが広告する事項に関する特典情報にアクセスするためのアクセス情報を含むメッセージとを放送し、
放送された広告プログラムとメッセージとを受信し、受信した広告プログラムと前記アクセス情報を含むメッセージとを表示し、
表示されたアクセス情報を取得し、取得したアクセス情報を用いて、特典情報にアクセスして、特典情報を取得し、特典情報の期間情報を報知する。
【００１７】
本発明のコンピュータプログラムは、
コンピュータを、
上述の装置又はシステムとして動作させ、又は、方法を実行させる。
【発明の効果】
【００１８】
本発明に係る情報処理システムによれば、特典情報の期間情報が報知される。従って、特典情報の期間情報をユーザに把握させることが可能となる。従って、特典情報を使用期限内に使わせ易くすることができる。
【図面の簡単な説明】
【００１９】
【図１】本発明の実施の形態に係る情報処理システムの全体構成を示す図である。
【図２】図１に示す受信機の構成図である。
【図３】図１に示す放送局の放送設備の構成図である。
【図４】（ａ）は、図１に示す情報処理システムにおけるＣＭプログラムとＬ字メッセージとホームページとの関係を示す図、（ｂ）は放送スケジュールを例示する図である。
【図５】図１に示す情報処理システムにおける携帯端末の構成図である。
【図６】図１に示す情報処理システムにおけるサービスサーバの構成図である。
【図７】（Ａ）〜（Ｃ）は、図１に示すサービスサーバに格納される情報の例を示す図である。
【図８】図１に示す情報処理システムにおける広告主サーバの構成図である。
【図９】（Ａ）と（Ｂ）は、受信装置の一般の放送画面の例を示す図である。
【図１０】（Ａ）と（Ｂ）は、おまけつきＣＭの表示の一例を示す図である。
【図１１】（Ａ）と（Ｂ）は、おまけつきＣＭの表示の他例を示す図である。
【図１２】図１に示す情報システムの全体の動作を説明するタイムチャートである。
【図１３】おまけつきＣＭを構成するために必要な情報をまとめたテーブルの一例を示す図である。
【図１４】（Ａ）は特典情報がリンクされたホームページの一例を示す図、（Ｂ）は特典情報の内容が登録された携帯端末のカレンダーの一例を示す図である。
【図１５】特典情報の使用期限を携帯端末のカレンダーに登録させるための処理のタイミングチャートである。
【図１６】実施の形態１の変形例である、おまけつきＣＭの事前告知の概要を示す図である。
【図１７】おまけつきＣＭの放送の事前告知の情報が登録された携帯端末のカレンダーの一例を示す図である。
【図１８】図１に示す形態端末に蓄積される特典情報の使用履歴を示す使用履歴情報の一例を示す図である。
【図１９】特典情報にアクセスするためのアクセス情報としてＬ字広告識別情報を使用する場合の、Ｌ字広告識別情報と情報源のＵＲＬとを対応つけるテーブルの例を示す図である。
【発明を実施するための形態】
【００２０】
以下に、本発明を実施するための形態に係る情報処理システムと情報処理方法について、図面を参照して詳細に説明する。なお、図中同一または相当する部分には同一符号を付す。
【００２１】
図１に示すように、本実施の形態に係る情報処理システム１００は、受信機１と、放送局２と、携帯端末３と、サービスサーバ４と、広告主サーバ５と、を備える。
【００２２】
受信機１は、ＴＶ（テレビジョン）受信機から構成される。なお、受信機１は、複数箇所に複数台設置されるが、図１では、一台のみを例示している。受信機１の表示画面上には、テレビ映像（以下、映像）１０１と、テキスト１１１、１１２とＱＲコード１１３とを含むＬ字状の広告（以下、Ｌ字メッセージ）が表示されている。受信機１は、データ放送で送信された複数のＬ字メッセージのうち、受信機１が位置する地域用のＬ字メッセージのみを再生・表示する。ＱＲコード１１３には、クーポン、ポイント、懸賞などの特典情報を含むホームページのＵＲＬ（Uniform Resource Locator）が含まれている。各ホームページは、広告主サーバ５で提供される。また、ＱＲコード１１３は、暗号化されている。
【００２３】
放送局２は、映像１０１用の映像信号及び音声信号を含む番組プログラム及び広告プログラム（以下、ＣＭ）と、暗号化されたＱＲコード１１３を含むＬ字メッセージ用のデータと、を放送する。Ｌ字メッセージ用のデータは、複数地域用のＬ字メッセージのデータを含んでいる。
【００２４】
携帯端末３は、所謂スマートフォンから構成される。携帯端末３は、複数台使用されるが、図１では、一台のみ例示している。携帯端末３は、受信機１の画面に表示されたＱＲコード１１３を撮影し、ＱＲコード１１３に含まれていたＵＲＬを復号する。携帯端末３は、復号したＵＲＬ及び自己の端末ＩＤ(Identification)を含むアクセス要求を、無線アンテナ４０、インターネットなどのネットワークを介してサービスサーバ４に送信する。
【００２５】
サービスサーバ４は、インターネットなどのネットワークを介して無線アンテナ４０に接続されている。サービスサーバ４は、携帯端末３からのアクセス要求に応答して、アクセス要求に含まれているＵＲＬと端末ＩＤとを抽出する。サービスサーバ４は、端末ＩＤで特定されるユーザのアクセス履歴を蓄積すると共に含まれていたＵＲＬに接続を転送する。
サービスサーバ４は、蓄積したアクセス履歴を解析し、例えば、各ユーザの嗜好を判別し、嗜好に応じた広告、ニュースなどの情報を、各携帯端末３に送信する。
【００２６】
広告主サーバ５は、インターネットなどのネットワークを介して無線アンテナ４０に接続されている。広告主サーバ５は、サービスサーバ４からの転送により、携帯端末３に接続され、クーポン、ポイント、懸賞といった特典情報を含むホームページを携帯端末３に提供する。
携帯端末３は、提供されたホームページを表示する。また、その特典情報に有効期限が存在する場合には、その有効期限等の情報をカレンダプログに登録する。
【００２７】
次に、図１に示す情報処理システム１００を構成する各部の構成を説明する。
【００２８】
図２は、受信機１の構成を示すブロック図である。受信機１は、データ放送受信機能を備える一般のＴＶ受信機から構成され、チューナ１１と、メモリ１２と、記憶部１３と、制御部１４と、映像音声出力部１５と、表示部１６と、音声出力部１７とを備えている。受信機１は、請求項における表示手段の一例である。
【００２９】
チューナ１１は、チャンネルを選択し、受信アンテナ１０を介して、選択したチャンネルの番組プログラムと及び広告（ＣＭ）プログラムのテレビ映像及び音声信号を含む放送電波を受信し、復調する。チューナ１１は、また、受信アンテナ１０を介して、データ放送のモノファイル（モノメディアテキスト及びモノメディア画像）及びＢＭＬ（Broadcast Markup Language）ファイルを受信し、復調する。
【００３０】
メモリ１２は、制御部１４のワークメモリとして機能し、また、チューナ１１が復調した映像及び音声信号と、データ放送のモノファイル及びＢＭＬファイルを記憶する。
【００３１】
記憶部１３は、受信機１が実行する制御プログラムを記憶している。
また、記憶部１３には、受信機１の設置された地域を特定する情報、具体的には、郵便番号を記憶している。
【００３２】
制御部１４は、プロセッサを備え、記憶部１３が記憶している制御プログラムを実行し、チューナ１１を制御して、受信チャネルを選択する。また、制御部１４は、チューナ１１が受信して復調した映像及び音声信号と、データ放送のモノファイル及びＢＭＬファイルを、メモリ１２に一旦記憶させる。
【００３３】
映像音声出力部１５は、メモリ１２に記憶されている映像信号及び音声信号とデータ放送の信号とを、表示部１６及び音声出力部１７に出力する。映像音声出力部１５は、データ放送に関しては、受信したＬ字メッセージ用のモノファイルのうち、記憶部１３に記憶している郵便番号と一致する郵便番号が設定されているモノファイルのみを表示部１６及び音声出力部１７に出力する。これにより、放送局２から放送される複数のＬ字メッセージのうち、受信機１が設置されている地域用のＬ字メッセージのみが、その受信機１で再生される。
受信アンテナ１０とチューナ１１と記憶部１３と制御部１４とは、協働して、請求項の受信手段の一例として機能し、制御部１３と映像音声出力部１５と表示部１６とは、協働して、請求項の表示手段の一例として機能する。
【００３４】
図１に示す放送局２は、上述の番組プログラムと広告プログラム及びデータ放送のデータを送信する。図３に示すように、放送局２は、制御部２１と、記憶部２２とタイマ２３と表示部２４と、入力部２５と、送信機器２６とを備える放送設備を有している。この放送設備は、請求項における放送手段の一例である。
【００３５】
記憶部２２は、制御部２１が実行する制御プログラムを記憶する。この制御プログラムは、番組プログラムと広告プログラムとデータ放送のデータを、タイムスケジュールに沿って放送する制御を実行するためのプログラムである。
【００３６】
記憶部２２は、また、図４（Ａ）に示すように、放送対象の番組プログラムの映像と音声データ、番組プログラムの間に放送するＣＭプログラムの映像と音声データ、さらに、ＣＭプログラムの放送と並行して放送するＬ字メッセージのモノメディアファイルとＢＭＵファイルを記憶している。Ｌ字メッセージのモノメディアファイルとＭＢＵファイルは、地域別に用意されている。即ち、地域別メッセージが用意されている。各モノディアファイルには、そのファイルを再生及び表示する地域を特定する情報、具体的には、郵便番号が設定されている。
【００３７】
また、各モノメディアファイルに含まれるモノ画像ファイルは、ＱＲコード１１３の画像を含む。前述のように、このＱＲコード１１３に含まれる情報は、予め所定の暗号鍵で暗号化されている。ＱＲコード１１３には、このＱＲコード１１３を含むＬ字メッセージを視聴したユーザに提供する特典情報を掲載したホームページのＵＲＬが含まれている。ホームページのＵＲＬは、広告を出稿した広告主の広告主サーバ５上のＵＲＬとなる。
【００３８】
また、記憶部２２には、図４（Ｂ）に示すように、番組プログラムとＣＭプログラムを放映するタイミングを規定するスケジュールファイルが格納されている。
【００３９】
図３に示す制御部２１は、記憶部２２に記憶された制御プログラムを実行することにより動作し、記憶部２２に記憶されているタイムスケジュールに従って、コンテンツ、即ち、番組プログラム、ＣＭプログラム、モノメディアテキストファイル、モノメディア画像ファイル、ＢＭＵファイルを送信機器２６に供給して、放送する。
【００４０】
タイマ２３は、現在時刻を計測するＲＴＣ（リアルタイムクロック）である。制御部２１は、タイマ２３の計時時刻と、記憶部２２に記憶されている放送スケジュールに基づいて、コンテンツを切り換えながら放送する。
【００４１】
表示部２４は、ユーザに操作画面、送信中の放送コンテンツの画像を表示する。
入力部２５は、種々の指示・データを制御部２１に入力する。
送信機器２６は、供給された信号を変調して放送する。
【００４２】
図１に示す携帯端末３は、所謂スマートフォンから構成される。以下の説明では、スマートフォンの構成及び機能のうち、本願発明に関連する部分を中心に説明する。図５は、携帯端末３の構成の概略を示す図である。図示するように、携帯端末３は、撮像部３１と、制御部３２と、記憶部３３と、通信部３４と、表示部３５と、入力部３６と、を備える。携帯端末３は、請求項における端末手段の一例である。また、制御部３２と記憶部３３と通信部３４は、請求項における、特定情報取得手段の一例として機能する。制御部３２と記憶部３３は、請求項における、カレンダ手段の一例として機能する。また、制御部３２と記憶部３３と表示部３５は、請求項における、報知手段の一例として機能する。
【００４３】
撮像部３１は、受信機１の表示画面に表示されたＱＲコード１１３を撮影する撮像手段である。
【００４４】
記憶部３３は、携帯端末３が実行する各種の処理のための制御プログラムを記憶している。この制御プログラムは、ｉ）撮像部３１により撮像されたＱＲコード１１３を復号し、ii）サービスサーバ４にアクセスし、iii）サービスサーバ４に広告を特定する情報と利用者情報を含むアクセス要求を送信し、iv）サービスサーバ４から転送された接続先の広告主サーバ５のホームページをアクセスして、特典情報を含むホームページを表示する、動作を制御する。この制御プログラムは専用のプログラムとされており、サービスサーバ４からダウンロードされる。
【００４５】
また、記憶部３３には、メール、広告ページの内容を処理し、文書に記載された日時、場所、内容を、携帯端末３内のカレンダに登録するカレンダプログラムが記憶されている。カレンダプログラムはリマインド機能を備える。
【００４６】
制御部３２は、プロセッサから構成され、記憶部３３に記憶された制御プログラムを実行し、上述のｉ）〜iv）の動作を実行する。
【００４７】
通信部３４は、外部装置と通信を行う。
表示部３５は、ユーザに操作画面、送信中の放送コンテンツの画像を表示する。
入力部３６は、種々の指示・データを制御部３２に入力する。
【００４８】
サービスサーバ４は、インターネットを介して携帯端末３に接続され、ｉ）携帯端末３にＱＲコード１１３復号用の制御プログラムを提供（ダウンロード）し、ii）携帯端末３からのアクセスを受け付けて、アクセスしてきた携帯端末３の情報を取得し、iii）接続先を、アクセス要求に含まれているＵＲＬに切り換え、iv）サービスサーバ４は、複数の携帯端末３からのアクセス要求を解析し、各ユーザの嗜好、全体の消費動向などを解析し、有効と考えられる広告を提供する等の処理を行う。
【００４９】
図６に示すように、サービスサーバ４は、制御部４１と、記憶部４２と、表示部４３と、入力部４４と、通信部４５と、を備える。サービスサーバ４は、請求項における第１のサーバ装置、プログラム提供手段の一例である。  
【００５０】
記憶部４２は、放送されたＬ字メッセージの広告識別情報、枝番号、広告内容に関する情報を図７（Ａ）に示すように記憶している。広告識別情報は、Ｌ字メッセージを特定する情報であり、枝番号は、地域別に異なるＬ字メッセージの場合に、放送地域別のＬ字メッセージの１つを特定する識別情報である。また、広告内容は、広告の内容を示す情報である。
【００５１】
記憶部４２は、携帯端末３にダウンロードする制御プログラムを記憶する。また、制御プログラムをダウンロードした携帯端末３のユーザ情報を図７（Ｂ）に示すように記憶する。さらに、記憶部４２は、図７（Ｃ）に示すように、登録ユーザが、どのような広告にアクセスしたかを示す履歴情報を示す情報を記憶する。
【００５２】
制御部４１は、記憶部４２に記憶されている制御プログラムを実行することにより、携帯端末３からのダウンロード要求に応答して、制御プログラムを提供（ダウンロード）する。この際、制御部４１は、各ユーザの識別情報と属性情報を収集し、図７（Ｂ）に示すように、ユーザ情報として記憶部４２に記憶する。識別情報は、独自の識別情報でもよく、電話番号、任意のＳＮＳ（Social Networking Service）の識別情報を流用してもよい。属性情報は、例えば、氏名、住所、年齢（青年月日）、性別、職業、等の情報を含む。この場面では、サービスサーバ４は、携帯端末３に専用プログラムを配信する配信手段として機能する。
【００５３】
また、制御部４１は、ＱＲコード１１３を復号した携帯端末３からのアクセス要求に応答して、アクセスしてきた携帯端末３の情報を取得する。制御部４１は、取得した情報に基づいて、各ユーザのアクセスの履歴を求め、図７（Ｃ）に示すように、ユーザ情報として記憶部４２に記憶する。
【００５４】
また、制御部４１は、アクセスしてきた携帯端末３からの接続を、アクセスデータに含まれているＵＲＬに転送する処理、携帯端末３のアクセスの履歴を解析する処理、等を実行する。
【００５５】
表示部４３は、ユーザに操作画面、分析結果などを表示する。
入力部４４は、種々の指示・データを制御部４１に入力する。
通信部４５は、サービスサーバ４と外部装置との間で通信を行う。
【００５６】
広告主サーバ５は、インターネットを介して携帯端末３に接続され、携帯端末３に特定情報を含む広告用のホームページを提供する。各ホームページのＵＲＬは、対応するＬ字メッセージ１０２のＱＲコード１１３に含まれているＵＲＬである。広告主サーバ５は、請求項における第２のサーバ装置の一例である。
【００５７】
図８に示すように、広告主サーバ５は、制御部５１と、記憶部５２と、表示部５３と、入力部５４と、通信部５５と、を備える。
【００５８】
制御部５１は、プロセッサを備え、制御プログラムを実行することにより、携帯端末３からのアクセスに応答して、ホームページを提供する制御を実行する。
【００５９】
記憶部５２は、制御部５１が実行する制御プログラムを記憶する。また、記憶部５２は、図４（Ａ）に示すように、Ｌ字メッセージ１０２に関連付けられたホームページを記憶する。各ホームページには、ＵＲＬが割り当てられている。このＵＲＬがＱＲコード１１３内に暗号化されて組み込まれている。
【００６０】
表示部５３は、操作画面、記憶しているホームページなどを表示する。
入力部５４は、種々の指示・データを制御部４１に入力する。
通信部５５は、ネットワークを介して、外部の装置と通信を行う。
【００６１】
図１０（Ａ）、（Ｂ）及び図１１（Ａ）、（Ｂ）は、受信機１の表示部１６の表示画面上にＬ字メッセージ１０２を表示した例を示す図である。一方、図９（Ａ）、（Ｂ）は、Ｌ字メッセージ１０２を表示する直前の表示画面の例を示す図である。
【００６２】
受信機１の表示部１６には、Ｌ字メッセージ１０２を開始する直前までは、例えば、図９（Ａ）に示すように、表示部１６の画面全体に番組プログラムが表示されているか或いは図９（Ｂ）に示すように、番組プログラムとデータ放送の画面が表示されている。
【００６３】
一方、番組プログラムがＣＭプログラムに切り換わり、そのＣＭプログラムにＬ字メッセージ１０２が用意されている場合には、図１０（Ａ）〜図１１（Ｂ）に例示するように、画面の右上にＣＭプログラムの映像１０１が表示され、その周囲にＬ字メッセージ１０２が表示される。
【００６４】
Ｌ字メッセージ１０２は、ＣＭプログラムの映像１０１の側方に表示されたテキスト１１１と、ＣＭプログラムの映像１０１の下方に表示されたテキスト１１２と、テキスト１１１、１１２に挟まれた位置に表示されたＱＲコード１１３とを含む。このテキスト１１１、１１２は、広告主から提供されるキャンペーン情報、特典情報について文字データである。ＣＭプログラムの映像１０１とＬ字メッセージ１０２とが表示されるテレビＣＭを、以下では、おまけつきＣＭと称する。
【００６５】
図１０（Ａ）と（Ｂ）に示す画面では、ＣＭプログラムの映像１０１は地域によらず同一である。しかし、Ｌ字メッセージ１０２は、その内容に、放送地域に応じた差異が設定されている。具体的は、図１０（Ａ）のＬ字メッセージ１０２は、東京都に設置された受信機１で再生表示され、図１０（Ｂ）のＬ字メッセージ１０２は、神奈川件に設置された受信機１で再生表示される。
【００６６】
同様に、図１１（Ａ）と（Ｂ）に示す画面では、ＣＭプログラムの映像１０１は地域によらず同一である。しかし、図１１（Ａ）のＬ字メッセージ１０２は、自由が丘校の周辺地域に設置された受信機１で再生表示され、図１１（Ｂ）のＬ字メッセージ１０２は、神田校周辺地域に設置された受信機１で再生表示される。
【００６７】
次に、このようなおまけつきＣＭを放映する手順を説明する。
まず、広告主と放送局とは、図４（Ａ）に示すように、ＣＭプログラムを作成すると共に、地域別にＬ字メッセージを作成し、さらに、Ｌ字メッセージに対応するホームページを用意する。Ｌ字メッセージには、Ｌ字メッセージのＩＤと再生地域を特定する情報である郵便番号を含める。また、対応するホームページのＵＲＬを所定の暗号キーで暗号化してＱＲコード１１３として含める。Ｌ字メッセージとホームページは、１対１の対応関係でも、多対１の対応関係でもよい。
【００６８】
続いて、図４（Ａ）に示すように、ＣＭプログラムとＬ字メッセージのデータを放送局２の記憶部２２に格納する。また、各ホームページを、広告主サーバ５の記憶部５２にＵＲＬを付して格納する。
【００６９】
また、図４（Ｂ）に例示するように、放送のタイムスケジュールが確定すると、そのスケジュールが記憶部２２に格納される。
【００７０】
一方、サービスサーバ４の記憶部４２には、どのような広告を放映するかを示す図７（Ａ）に示す広告情報を格納する。
【００７１】
また、サービスサーバ４の記憶部４２に、Ｌ字メッセージ１０２に含まれるＱＲコード１１３を復号して、格納されているＵＲＬを再生すると共にサービスサーバ４にアクセスする処理を携帯端末３に実行させるアプリケーションプログラムを格納する。サービスサーバ４は、携帯端末３からのダウンロード要求に応答して、このアプリケーションプログラムを携帯端末３に提供する。
【００７２】
サービスサーバ４は、アプリケーションプログラムのダウンロードさせるために、携帯端末３に入力フォームを提示し、氏名、住所、年齢、性別、職業等の一定レベルの個人情報の提供を依頼する。なお、個人情報のレベルをどのように設定するかは、必須とする入力項目の内容により適宜調整される。サービスサーバ４は、取得した個人情報を、図７（Ｂ）に示すように、ユーザ情報として記憶部４２に登録する。
【００７３】
携帯端末３は、サービスサーバ４から提供されたアプリケーションプログラムをインストールする。
【００７４】
次に、おまけつきＣＭの放送・再生の手順について、図１２を参照しつつ説明する。
前述のように、Ｌ字メッセージは、データ放送のコンテンツの１つである。放送局２は放送アンテナ２０を介して受信機１へ、放送プログラム、ＣＭプログラムと共にＬ字メッセージ用のモノファイルとＢＭＬファイルとを送信する。モノファイルは、複数地域用のモノファイルを含んでいる。モノファイルとＢＭＬファイルとは、一般的なデータ放送のファイルと同様に、カル−セル伝送される。各モノファイルは、Ｌ字メッセージ１０２で表示されるモノメディア・画像のファイルと、表示される文字データを記載したモノメディア・テキストのファイルとを含む。また、各モノファイルは、表示対象地域の郵便番号を含む。
【００７５】
モノメディア・画像のファイルには、図１０（Ａ），（Ｂ）と図１１（Ａ），（Ｂ）に例示したＬ字メッセージ１０２上に配置されるＱＲコード１１３と、Ｌ字メッセージ１０２部分の背景画像、各種アイコンの画像が含まれている。このＱＲコード１１３は、暗号化されている。
携帯端末３は、ＱＲコード１１３を撮影し、サービスサーバ４からダウンロードしたアプリケーションプログラムにより解凍することにより、ＱＲコード１１３に含まれたアドレスを取得する。
【００７６】
モノメディア・テキストのファイルは、Ｌ字メッセージ１０２上に表示されるテキスト１１１、１１２の文字データを含む。
【００７７】
ＢＭＬファイルは、図１０（Ａ）〜図１１（Ｂ）に例示したＬ字メッセージ１０２を作成するためのモノファイルのモノメディア・画像及びモノメディア・テキストの配置と、Ｌ字メッセージ１０２を表示させるための様々な命令が記載されたファイルである。
【００７８】
放送局２の制御部５１は、記憶部２２に格納している図７（Ｂ）に示すタイムスケジュールに従って、ＣＭ放送の開始ｎ秒前から、Ｌ字メッセージ１０２用のデータの放送を開始する。ここで、ｎは、データ放送を読み込むために必要な時間以上の値に設定されている。
【００７９】
受信機１の制御部１４は、チューナ１１を介してモノファイルとＢＭＬファイルを受信し、受信したモノファイルとＢＭＬファイルとをメモリ１２に記憶させる。なお、モノファイルは、複数地域用のデータが含まれている。
制御部１４は、ＢＭＬファイルに記載された命令を実行する。この命令は、モノファイルが含む郵便番号と受信機１の記憶部１３に予め記憶されている郵便番号とが一致する場合、そのＣＭプログラムの放送中に、そのモノファイルの内容をＬ字メッセージ１０２に表示させる命令が記載されている。
【００８０】
詳細には、受信してメモリ１２に記憶した複数のモノファイル中にモノファイルに含まれている郵便番号と受信機１の記憶部１３に予め記憶されている郵便番号とが一致するものがある場合、制御部１４は、ＢＭＬファイルに記載された命令に従って、メモリ１２上に、そのモノファイルのモノメディア・画像とモノメディア・テキストとを配置し、Ｌ字メッセージ１０２を作成する。なお、モノファイルに含まれる郵便番号と受信機１の記憶部１３に予め登録されている郵便番号とが全く一致しない場合には、制御部１４は、Ｌ字メッセージ１０２を作成しない。
【００８１】
放送局２から受信機１へ、ＣＭ放送開始信号とＣＭプログラムの映像及び音声が送信される。ＣＭ放送の長さをＴ秒間とする。受信機１の制御部１４は、ＢＭＬファイルに記載された命令に従って映像音声出力部１５に、ＣＭ開始信号を受信したｔ１秒後に、映像１０１を縮小させる。映像音声出力部１５は、縮小したＣＭプログラムの映像１０１とＬ字メッセージ１０２とを表示部１６の表示画面上に表示させる。受信機１の制御部１４は、ＢＭＬファイルに記載された命令に従って、Ｌ字メッセージ１０２を表示画面上に表示されてからｔ３秒が経過すると、映像音声出力部１５にＬ字メッセージ１０２を表示画面上から消去させ、映像１０１を表示部１６の表示画面上にフルサイズで表示させる。このｔ３秒は、ＣＭ放送の時間数をＴ秒間から、ＣＭ開始信号を受信後のｔ１秒とＣＭ放送の終了前ｔ２秒とを引いた時間である。ＣＭ放送の長さはタイムスケジュールにより、予め定められているため、ＢＭＬファイルにｔ３の値を予め記載することができる。
【００８２】
図１３は、メモリ１２に補助的に形成されるおまけつきＣＭを構成するために必要な情報をまとめたテーブルの一例を示す図である。このテーブルには、おまけつきＣＭを表示させる対象となるＣＭと、Ｌ字メッセージ１０２を作成するためのモノメディア・画像のファイル名及びモノメディア・テキストのファイル名と、おまけつきＣＭを表示させる対象となる地域数と、対象地域の郵便番号が記載されている。
【００８３】
このおまけつきＣＭを表示させる対象となる地域数は、１地域以上の任意に定められた地域数である。対象地域の郵便番号は、地域数に対応した数の郵便番号が定められている。この郵便番号は、連続または不連続のどちらでもよい。このテーブルは、必要に応じて、放送局２の記憶部２２にも記憶させておく。放送局２は、このテーブルにまとめられた情報をもとに、ＢＭＬファイルを作成することもできる。
【００８４】
おまけつきＣＭに表示されるＱＲコード１１３には、特典情報にアクセスするためのＵＲＬが含まれている。
【００８５】
ユーザが携帯端末３の撮像部３１で、ＱＲコード１１３を撮影すると、制御部３２は、専用アプリを実行することにより、ＱＲコード１１３を復号し、内部に含まれている暗号化されているＵＲＬを復号して抽出する。
【００８６】
制御部３２は、端末ＩＤ及び復号したＵＲＬを含むアクセス要求をサービスサーバ４に送信する。
【００８７】
サービスサーバ４の制御部４１は、このアクセス要求を受信すると、図７（Ｃ）に示すアクセス履歴に今回のアクセス内容を追加する。制御部４１は、携帯端末３からの接続を、通知されたＵＲＬに転送して切り換える。これにより、携帯端末３の制御部３２は、表示部３５に、そのＵＲＬで特定されるホームページを表示する。例えば、図１１（Ａ）、（Ｂ）に示すおまけつきＣＭの場合、図１４（Ａ）に例示するホームページが表示される。このホームページには、特典情報として、東京全店舗のキャンペーンの詳細情報とクーポンがリンクされている。
【００８８】
携帯端末３の制御部３２は、図１４（Ａ）に示す特典情報のページにアクセスすると、専用アプリケーションプログラムの指示により、カレンダプログラムを実行し、ホームページの内容を解析し、日時、場所、内容に関するキーワードを抽出する。これらは、キーワード辞書とホームページ上のテキストとのマッチングにより特定することが可能である。例えば、日時については、「〜（日付）〜から〜（日付）〜まで」、「〜（日付）〜より〜（日付）〜まで」、「〜（日付）〜まで」などのキーワードを日時、場所、内容などのカテゴリ別にキーワード辞書に登録しておき、これに一致する文字列を特定することにより判別可能である。
制御部３２は、特定した日時、場所、内容を、携帯端末３内のカレンダーに取り込む。次いで、制御部３２は、電子クーポン、ポイントなどを取得を取得し記憶部３３に記憶する。さらに、カレンダー上の情報と特典情報とをリンクさせる。
【００８９】
また、広告主のホームページ上のキーワードに非表示のタグを付しておき、タグからキーワードを特定できるようにしてもよい。また、形態素解析により、キーワードを抽出してもよい。
【００９０】
図１４（Ｂ）は、特典情報に示された日時、場所、内容を取り込んだ携帯端末３内のカレンダの一例を示すものである。このカレンダには、図１４（Ａ）に示す特典情報の内容に対応して、７月１２日から７月１６日まで○○ストアでキャンペーンが実施されており、クーポンがあることが示されている。この期間情報により、ユーザは、クーポンを使用できる期間及び使用期限を、簡単に把握することができる。また、カレンダ上の該当する情報をクリックすると、制御部３２は、クーポンなどの特典情報を読み出して表示部３５に表示する。
【００９１】
カレンダプログラムは、内部タイマとリマインダ機能を備えている。リマインダ機能は、タイマが計時する現在時刻とカレンダーに登録されている日時とを比較し、例えば、１２（Ａ）に示すキャンペーンが実施される前、実施中、終了日前日などに、その内容をユーザに報知する。したがって、ユーザは、キャンペーンの期間、言い換えれば、クーポンの使用できる期間を忘れたり、覚え間違いをしていた場合でも、ユーザにクーポンを使用期限内に使わせ易くすることができる。
【００９２】
図１５は、情報処理システム１００における、特典情報を携帯端末のカレンダーに登録するための処理を示すデータフローの一例を示す図である。
【００９３】
まず、タイムスケジュールとタイマ２３が計測した時刻に応じて、放送局２は、おまけつきＣＭ用のモノファイルとＢＭＬファイルとを、受信機１へ送信する（ステップＳ１０１）。続いて、放送局２は、所定タイミングで、おまけつきＣＭ開始信号を送信する（ステップＳ１０２）。
【００９４】
受信機１は、受信したおまけつきＣＭのデータを受信すると、モノファイルのうちに記録されている郵便番号と受信機１の記憶部１３に予め記憶されている郵便番号とが一致するものがあれば（ステップＳ１０３；ＹＥＳ）、そのモノファイルのモノメディア・画像とモノメディア・テキストとを配置し、Ｌ字メッセージ１０２を作成する（ステップＳ１０４）。なお、モノファイルに含まれている郵便番号と受信機１の記憶部１３に予め記憶されている郵便番号とが全く一致しない場合には（ステップＳ１０３；ＮＯ）、受信機１はＬ字メッセージを作成しない。
【００９５】
続いて、放送局２からＣＭ開始信号が送信される（ステップＳ１０５）。受信機１の制御部１４は、受信アンテナ１０を介して受信したＣＭ映像信号及び音声信号をチューナ１１に変調または復調させる。制御部１４は、チューナ１１に変調または復調させたＣＭ映像信号及び音声信号を、映像音声出力部１５に送信する。映像音声出力部１５は、表示部１６の表示画面上にＣＭプログラムの映像１０１を表示させ、音声出力部１７から音声を出力させる（ステップＳ１０６）。
【００９６】
受信機１の制御部１４は、ＣＭ開始信号を受信したｔ１秒後であり、かつ、Ｌ字メッセージ１０２を作成している場合には（ステップＳ１０７；ＹＥＳ）、映像音声出力部１５に映像１０１を縮小させる。制御部１４は、映像音声出力部１５に、縮小させたＣＭプログラムの映像１０１とＬ字メッセージ１０２とを表示部１６に出力させる。表示部１６は、縮小させたＣＭプログラムの映像１０１とＬ字メッセージ１０２とを表示画面上に表示する（ステップＳ１０８）。これにより、図１０（Ａ）〜図１１（Ｂ）に例示した画面が表示される。
【００９７】
受信機１の制御部１４は、ＣＭ開始信号を受信したｔ１秒後であり、かつ、Ｌ字メッセージを作成していない場合には（ステップＳ１０７；ＮＯ）、表示部１６の表示画面上に映像１０１を表示させたままにする。
【００９８】
ここで、ユーザは、受信機１の表示部１６の表示画面上に表示されたＬ字メッセージ１０２内のＱＲコード１１３を、携帯端末３の撮像部３１で撮影する（ステップＳ１０９）。
【００９９】
携帯端末３の制御部３２は、このＱＲコード１１３を復号し、ＵＲＬを再生する。制御部３２は、自己のＩＤと再生したＵＲＬとを含むアクセス要求をサービスサーバ４にアクセスする。
【０１００】
サービスサーバ４は、アクセス履歴に今回のアクセスの情報を追加して更新し、アクセス先（接続先）を通知されたＵＲＬ、即ち、情報源のURLに転送する。これにより、携帯端末３の制御部３２は、広告主サーバ５から、特典情報を取得する（ステップＳ１１０）。
【０１０１】
制御部３２は、カレンダプログラムを実行し、特典情報の文書に記載された日時、場所、内容を携帯端末３内のカレンダーに記憶（登録）させる（ステップＳ１１１）。また、制御部３２は、広告主サーバ５からクーポンを取得する（ステップＳ１１２）。制御部３２は、取得した電子クーポンを、記憶部３３に記憶させ、カレンダ情報とリンクさせる。
【０１０２】
受信機１の制御部１４は、表示部１６にＬ字メッセージ１０２を表示させてからｔ３秒経過すると（ステップＳ１１３；ＹＥＳ）、映像音声出力部１５にＬ字メッセージ１０２を消去させる。
制御部１４は、映像音声出力部１５に映像１０１を表示部１６の表示画面上にフルサイズで表示させる（ステップＳ１１４）。受信機１の制御部１４は、表示部１６にＬ字メッセージ１０２を表示させてからｔ３秒経過していなければ（ステップＳ１１３；ＮＯ）、経過するまで待機する。放送局２から受信機１へＣＭ終了信号が送信される（ステップＳ１１５）。これにより、ＣＭ放送が終了する。その後、放送局２から受信機１へ番組の映像及び音声が送信される。
【０１０３】
以上説明したように、本実施の形態においては、ＱＲコード１１３に含まれているＵＲＬに携帯端末３をアクセスさせることにより取得させた特典情報の内容を、携帯端末３の備えるカレンダーに登録させることにより、ユーザに使用期限を把握させることが可能となる。これにより、ユーザに、特典情報を使用期限内に使わせ易くすることができる。また、カレンダーのリマインド機能を用いてユーザに使用期限を報知させることにより、ユーザに特典情報を使用期限内に使わせ易くすることもできる。
【０１０４】
（変形例）
おまけつきＣＭが放送される日時が不明な場合、ユーザは、おまけつきＣＭが放送されると、速やかに携帯端末３でＱＲコード１１３を撮影しなければならない。しかしながら、ユーザの手元に携帯端末３が無い場合には、おまけつきＣＭが放送されても、ＱＲコード１１３を撮影することはできない。そこで、図１６に模式的に例示するように、おまけつきＣＭが何時放送されるのか、事前に携帯端末３のカレンダー内に登録できるようにしてもよい。
【０１０５】
放送局２のサーバ、サービスサーバ４、広告主サーバ５等の様々なサーバから、おまけつきＣＭの放送日時を配信し、これを携帯端末３のカレンダーに登録できるようにしてもよい。
例えば、広告主サーバ５上のホームページに自社のおまけつきＣＭの放送予定を含めてもよい。この場合、ユーザが、その広告主のホームページに携帯端末３でアクセスすると、制御部３２はホームページに掲載された情報を処理して、おまけつきＣＭが何時放送されるのかという情報を処理し、カレンダーに登録する。
【０１０６】
例えば、任意のＳＮＳ（Ｓｏｃｉａｌ  Ｎｅｔｗｏｒｋｉｎｇ  Ｓｅｒｖｉｃｅ）に、おまけつきＣＭが何時放送されるのかを示す情報を掲載してもよい。この場合、例えば、ユーザが、ＳＮＳの広告主の公式アカウントに携帯端末３をアクセスさせると、制御部３２は、掲載された情報を解析して、おまけつきＣＭが何時放送されるのか特定し、カレンダーに登録する。
【０１０７】
また、例えば、レシート、領収書、ノベルティ、カタログなどに付されたＱＲコードに放送予定の情報を含めてもよい。この場合、例えば、レシート、領収書、ノベルティ、カタログなどに付されたＱＲコードを携帯端末で撮像すると、そのＱＲコードに含まれる放送予定がカレンダーに登録される。
また、例えば、レシート、領収書、ノベルティ、カタログなどに付されたＱＲコードに放送予定の情報を掲載したホームページのＵＲＬを含めてもよい。この場合、例えば、レシート、領収書、ノベルティ、カタログなどに付されたＱＲコードを携帯端末３で撮像すると、制御部３２は、そのＵＲＬにアクセスし、ホームページに含まれる放送予定をカレンダーに登録する。
【０１０８】
おまけつきＣＭが何時放送されるのか、携帯端末３のカレンダー内に記憶された一例を、図１７に示す。このカレンダーには、おまけつきＣＭの放送される日に、時間、広告主、おまけつきＣＭである旨が記憶されている。これにより、ユーザは、おまけつきＣＭが何時放送されるのかを把握することができる。また、携帯端末３のカレンダーのリマインダ機能により、おまけつきＣＭが何時放送されるのか、ユーザに報知させることができる。
【０１０９】
また、サービスサーバ４から、ユーザ情報に基づいて、プッシュ式で放送予定を各携帯端末３に送信してもよい。
【０１１０】
このように、携帯端末３のカレンダー内におまけつきＣＭの放送予定を記憶させることにより、ユーザは、おまけつきＣＭの放送予定を把握することができる。また、カレンダーのリマインダ機能により、おまけつきＣＭが何時放送されるのか報知されると、おまけつきＣＭを視聴し易くなる。さらに、ユーザは、予めおまけつきＣＭの放送時間が分かっているため、手元に携帯端末３を用意しておくことができる。これにより、おまけつきＣＭの視聴率を向上させるとともに、ユーザがおまけつきＣＭを活用し易くすることができる。
【０１１１】
サービスサーバ４の制御部４１は、記憶部４２に蓄積された広告アクセス履歴情報を、ユーザ別、グループ別、属性別等に解析し、今後の広告・商品開発に役立つ情報を生成し、広告主に提供する。
【０１１２】
携帯端末３の記憶部３３に記憶されている専用アプリケーションプログラムは、記憶部３３のおまけつきＣＭ用のホルダに格納されているクーポンなどの特典情報が表示部３５に表示されると、或いは、通信部３４を介してクーポン情報が外部装置に送信されると、その情報を記録し、図１８に例示するように、使用履歴情報を記憶部３３に蓄積する。なお、本実施の形態では、特典情報の表示・送信を特典情報の使用とみなしている。
携帯端末３の制御部３２は、蓄積した特典情報にユーザＩＤを付加して、通信部３４を介してサービスサーバ４に適宜アップロードする。サービスサーバ４の制御部４１は、アップロードされた使用履歴情報を記憶部４２に蓄積する。制御部４１は、広告アクセス履歴に加えて、使用履歴情報を解析することにより、おまけつきＣＭに係る商品、サービスに対するユーザの興味、関心度を把握することができる。このため、広告主は、宣伝、販売促進、マーケティングを効率的に行うことが可能となる。
【０１１３】
以上のように、変形例においては、おまけつきＣＭが何時放送されるのか、事前に携帯端末３のカレンダー内に記憶させることができるようにしておくことで、おまけつきＣＭの視聴率を向上させるとともに、ユーザがおまけつきＣＭを活用し易くすることができる。
【０１１４】
なお、本発明の技術的範囲は、上記実施の形態と変形例によっては限定されない。本発明は特許請求の範囲に記載された技術的思想の限りにおいて、応用、変形あるいは改良して、実施することができる。
【０１１５】
例えば、図１に示す構成は適宜変更可能である。
例えば、放送局２のシステムがサービスサーバの機能を備えたり、サービスサーバ４が広告主サーバ５の機能をそなえてもよい。
図２，図３，図５，図６等に示す構成は、一例であり、適宜変更可能である。
図４に示すデータの記憶対象、図７（Ａ）〜（Ｃ）、図１８に例示するデータ構成なども適宜変更可能であり、任意の項目を追加、削除してもよい。
【０１１６】
上記実施の形態においては、ＱＲコード１１３にアクセス対象のホームページのＵＲＬをアクセス情報として含めたが、広告主のホームページに携帯端末３を誘導できるならば、その手法は任意である。例えば、ＱＲコード１１３にＬ字メッセージのＩＤを含めておき、サービスサーバ４の記憶部４２に図１９に例示するように、アクセス情報としてのＬ字メッセージＩＤとアクセス対象のホームページのＵＲＬの対応表を記憶させておいてもよい。この場合、携帯端末３の制御部３２は、自己の端末ＩＤに復号したＬ字メッセージＩＤを付して、サービスサーバ４をアクセスする。サービスサーバ４の制御部４１は、対応表を参照して、Ｌ字メッセージＩＤに対応するＵＲＬを特定し、特定したＵＲＬに携帯端末３からの接続を転送する。
【０１１７】
上記実施の形態では、携帯端末３を広告主のホームページにアクセスさせる例を示したが、ホームページは一例であり、ネットワーク上の任意の情報にアクセスさせ、特典情報を提供できるならはその構成と手法は任意でえる。
【０１１８】
上記実施の形態では、専用アプリケーションプログラムとは別にカレンダプログラムを用意したが、専用アプリケーションプログラムにカレンダプログラムを含めてもよい。
【０１１９】
地域を特定する情報として、郵便番号を使用したが、電話番号・住所表などの他の情報でもかまわない。
【０１２０】
なお、専用アプリケーションプログラムをサービスサーバ４から携帯端末３にダウンロードする例をしめしたが、ダウンロード元は任意であり、放送局２のサーバなどからダウンロードするようにしてもよい。
【０１２１】
表示するコードとして、ＱＲコードを例示したが、携帯端末３が読み取って内部に含まれている情報を復号できるならば、コードの種別は任意である。例えば、一般のバーコードでもよいし、文字列などでもよい。
地上波でＣＭプログラムとＬ字メッセージを放送する例を示したが、衛星放送、有線又は無線によるネットワーク放送、ケーブルテレビ放送などでもよい。
【０１２２】
携帯端末３として、スマートフォンを例示したが、情報処理が可能な任意の端末を使用できる。例えば、固定端末、腕時計型コンピュータ、ゲーム装置などでもよい。
【０１２３】
上記実施の形態では、ＣＭプログラムと共に該ＣＭプログラムが広告する事項に関するＬ字メッセージを表示し、このＬ字メッセージに、特典情報にアクセスするためのアクセス情報を含めたが、メッセージはＬ字状の表示に限定されず、画面の下部に表示された帯状のものでもよく、また、ＣＭプログラムに重畳表示されたコード情報等でもよい。
【０１２４】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
【符号の説明】
【０１２５】
１  受信機、２  放送局、３  携帯端末、４  サービスサーバ、５  広告主サーバ
【図１】
2019201366.tif 000003
【図２】
2019201366.tif 000004
【図３】
2019201366.tif 000005
【図４】
2019201366.tif 000006
【図５】
2019201366.tif 000007
【図６】
2019201366.tif 000008
【図７】
2019201366.tif 000009
【図８】
2019201366.tif 000010
【図９】
2019201366.tif 000011
【図１０】
2019201366.tif 000012
【図１１】
2019201366.tif 000013
【図１２】
2019201366.tif 000014
【図１３】
2019201366.tif 000015
【図１４】
2019201366.tif 000016
【図１５】
2019201366.tif 000017
【図１６】
2019201366.tif 000018
【図１７】
2019201366.tif 000019
【図１８】
2019201366.tif 000020
【図１９】
2019201366.tif 000021